【手続補正書】
【提出日】平成23年2月7日(2011.2.7)
【手続補正１】
【補正対象書類名】特許請求の範囲
【補正対象項目名】全文
【補正方法】変更
【補正の内容】
【特許請求の範囲】
【請求項１】
画像形成装置であって、
複数のソフトウェアファイルを記憶する記憶手段と、
前記記憶手段に記憶されたソフトウェアファイルを用いて、前記画像形成装置が提供する機能を実行する実行手段と、
前記記憶手段に記憶された複数のソフトウェアファイルのうちの少なくとも１つのソフトウェアファイルを更新するための更新用ソフトウェアファイルを、情報処理装置から受信する受信手段と、
前記受信手段で受信した更新用ソフトウェアファイルに基づいてソフトウェアファイルが更新された後、当該更新されたソフトウェアファイルを用いた機能の実行が指示されるのに応じて、当該実行される機能の動作確認を行うための画面を表示させる表示制御手段と、
を有することを特徴とする画像形成装置。
【請求項２】
前記受信手段で受信した更新用ソフトウェアファイルに付加されたデータにおいて前記ソフトウェアファイルの更新後の動作確認が要求されているか否かを判別する判別手段を有し、判別の結果、更新後の動作確認が要求されている場合に、前記表示制御手段は前記動作確認を行うための画面を表示させ、要求されていない場合には当該画面を表示させないことを特徴とする請求項１記載の画像形成装置。
【請求項３】
前記表示制御手段によって表示された画面によって行われた動作確認の結果を前記情報処理装置又は他の情報処理装置に送信する送信手段を有することを特徴とする請求項１又は２記載の画像形成装置。
【請求項４】
前記ソフトウェアファイルが更新された後、前記画像形成装置を最初に使用するユーザが当該画像形成装置の機器管理者である場合、前記表示制御手段は、前記更新されたソフトウェアファイルを用いる複数の機能についての動作確認を行うための画面を表示させることを特徴とする請求項１乃至３のいずれか１項に記載の画像形成装置。
【請求項５】
前記ソフトウェアファイルが更新された後、前記画像形成装置を最初に使用するユーザが当該画像形成装置の機器管理者でない場合、前記表示制御手段は、当該ユーザが実行させる機能が前記更新されたソフトウェアファイルを用いた機能でない場合には前記動作確認を行うための画面を表示させないことを特徴とする請求項１乃至３のいずれか１項に記載の画像形成装置。
【請求項６】
前記画像形成装置の機器管理者でないユーザが前記更新されたソフトウェアファイルを用いた機能を実行した後、当該画像形成装置の機器管理者が前記更新されたソフトウェアファイルを用いた機能を実施する場合、前記表示制御手段は、前記画像形成装置の機器管理者でないユーザの実施に基づいて動作確認された機能を除き、前記更新されたソフトウェアファイルを用いる複数の機能について動作確認を行うための画面を表示させることを特徴とする請求項５記載の画像形成装置。
【請求項７】
画像形成装置であって、
複数のソフトウェアファイルを記憶する記憶手段と、
前記記憶手段に記憶されたソフトウェアファイルを用いて、前記画像形成装置が提供する機能を実行する実行手段と、
前記記憶手段に記憶された複数のソフトウェアファイルのうちの少なくとも１つのソフトウェアファイルを更新するための更新用ソフトウェアファイルを、情報処理装置から受信する受信手段と、
前記受信手段で受信した更新用ソフトウェアファイルに基づいてソフトウェアファイルが更新された後、当該更新されたソフトウェアファイルを用いた機能が実行された場合、当該実行された機能の実行結果を前記情報処理装置に送信する送信手段と、
を有することを特徴とする画像形成装置。
【請求項８】
前記受信手段で受信した更新用ソフトウェアファイルに付加されたデータにおいて前記ソフトウェアファイルの更新後の動作確認が要求されているか否かを判別する判別手段を有し、判別の結果、更新後の動作確認が要求されている場合に、前記送信手段は、当該機能の実行結果を前記情報処理装置に送信することを特徴とする請求項７記載の画像形成装置。
【請求項９】
前記ソフトウェアファイルが更新された後、前記画像形成装置を最初に使用するユーザが当該画像形成装置の機器管理者である場合、前記更新されたソフトウェアファイルを用いる複数の機能についての実行結果を前記情報処理装置に送信することを特徴とする請求項７又は８記載の画像形成装置。
【請求項１０】
前記ソフトウェアファイルが更新された後、前記画像形成装置を最初に使用するユーザが当該画像形成装置の機器管理者でない場合、当該ユーザが実行させる機能が前記更新されたソフトウェアファイルを用いた機能でない場合には、当該機能の実行結果を前記情報処理装置へ送信しないことを特徴とする請求項７又は８に記載の画像形成装置。
【請求項１１】
前記画像形成装置の機器管理者でないユーザが前記更新されたソフトウェアファイルを用いた機能を実行させた後、当該画像形成装置の機器管理者が前記更新されたソフトウェアファイルを用いた機能を実行させる場合、前記送信手段は、前記画像形成装置の機器管理者でないユーザの実行に基づいて実行結果が前記情報処理装置に送信された機能を除き、前記更新されたソフトウェアファイルを用いる複数の機能についての実行結果を、前記情報処理装置に送信することを特徴とする請求項１０記載の画像形成装置。
【請求項１２】
画像形成装置の遠隔更新検証方法であって、
複数のソフトウェアファイルを記憶する記憶ステップと、
前記記憶ステップで記憶されたソフトウェアファイルを用いて、前記画像形成装置が提供する機能を実行する実行ステップと、
前記記憶ステップで記憶された複数のソフトウェアファイルのうちの少なくとも１つのソフトウェアファイルを更新するための更新用ソフトウェアファイルを、情報処理装置から受信する受信ステップと、
前記受信ステップで受信した更新用ソフトウェアファイルに基づいてソフトウェアファイルが更新された後、当該更新されたソフトウェアファイルを用いた機能の実行が指示されるのに応じて、当該実行される機能の動作確認を行うための画面を表示させる表示制御ステップと、
を有することを特徴とする画像形成装置の遠隔更新検証方法。
【請求項１３】
画像形成装置の遠隔更新検証方法であって、
複数のソフトウェアファイルを記憶する記憶ステップと、
前記記憶ステップで記憶されたソフトウェアファイルを用いて、前記画像形成装置が提供する機能を実行する実行ステップと、
前記記憶ステップに記憶された複数のソフトウェアファイルのうちの少なくとも１つのソフトウェアファイルを更新するための更新用ソフトウェアファイルを、情報処理装置から受信する受信ステップと、
前記受信ステップで受信した更新用ソフトウェアファイルに基づいてソフトウェアファイルが更新された後、当該更新されたソフトウェアファイルを用いた機能が実行された場合、当該実行された機能の実行結果を前記情報処理装置に送信する送信ステップと、
を有することを特徴とする画像形成装置の遠隔更新検証方法。
【請求項１４】
画像形成装置の遠隔更新検証方法をコンピュータに実行させるためのプログラムであって、前記画像形成装置の遠隔更新検証方法は、
複数のソフトウェアファイルを記憶する記憶ステップと、
前記記憶ステップで記憶されたソフトウェアファイルを用いて、前記画像形成装置が提供する機能を実行する実行ステップと、
前記記憶ステップで記憶された複数のソフトウェアファイルのうちの少なくとも１つのソフトウェアファイルを更新するための更新用ソフトウェアファイルを、情報処理装置から受信する受信ステップと、
前記受信ステップで受信した更新用ソフトウェアファイルに基づいてソフトウェアファイルが更新された後、当該更新されたソフトウェアファイルを用いた機能の実行が指示されるのに応じて、当該実行される機能の動作確認を行うための画面を表示させる表示制御ステップと、
を有することを特徴とするプログラム。
【請求項１５】
画像形成装置の遠隔更新検証方法をコンピュータに実行させるためのプログラムであって、前記画像形成装置の遠隔更新検証方法は、
複数のソフトウェアファイルを記憶する記憶ステップと、
前記記憶ステップで記憶されたソフトウェアファイルを用いて、前記画像形成装置が提供する機能を実行する実行ステップと、
前記記憶ステップに記憶された複数のソフトウェアファイルのうちの少なくとも１つのソフトウェアファイルを更新するための更新用ソフトウェアファイルを、情報処理装置から受信する受信ステップと、
前記受信ステップで受信した更新用ソフトウェアファイルに基づいてソフトウェアファイルが更新された後、当該更新されたソフトウェアファイルを用いた機能が実行された場合、当該実行された機能の実行結果を前記情報処理装置に送信する送信ステップと、
を有することを特徴とするプログラム。
【手続補正２】
【補正対象書類名】明細書
【補正対象項目名】００１１
【補正方法】変更
【補正の内容】
【００１１】
上記目的を達成するために、請求項１記載の画像形成装置は、複数のソフトウェアファイルを記憶する記憶手段と、前記記憶手段に記憶されたソフトウェアファイルを用いて、前記画像形成装置が提供する機能を実行する実行手段と、前記記憶手段に記憶された複数のソフトウェアファイルのうちの少なくとも１つのソフトウェアファイルを更新するための更新用ソフトウェアファイルを、情報処理装置から受信する受信手段と、前記受信手段で受信した更新用ソフトウェアファイルに基づいてソフトウェアファイルが更新された後、当該更新されたソフトウェアファイルを用いた機能の実行が指示されるのに応じて、当該実行される機能の動作確認を行うための画面を表示させる表示制御手段と、を有することを特徴とする。
【手続補正３】
【補正対象書類名】明細書
【補正対象項目名】００１３
【補正方法】変更
【補正の内容】
【００１３】
また、上記目的を達成するために、請求項１２記載の画像形成装置の遠隔更新検証方法は、複数のソフトウェアファイルを記憶する記憶ステップと、前記記憶ステップで記憶されたソフトウェアファイルを用いて、前記画像形成装置が提供する機能を実行する実行ステップと、前記記憶ステップで記憶された複数のソフトウェアファイルのうちの少なくとも１つのソフトウェアファイルを更新するための更新用ソフトウェアファイルを、情報処理装置から受信する受信ステップと、前記受信ステップで受信した更新用ソフトウェアファイルに基づいてソフトウェアファイルが更新された後、当該更新されたソフトウェアファイルを用いた機能の実行が指示されるのに応じて、当該実行される機能の動作確認を行うための画面を表示させる表示制御ステップと、を有することを特徴とする。
【手続補正４】
【補正対象書類名】明細書
【補正対象項目名】００１４
【補正方法】変更
【補正の内容】
【００１４】
また、上記目的を達成するために、請求項１３記載の画像形成装置の遠隔更新検証方法は、複数のソフトウェアファイルを記憶する記憶ステップと、前記記憶ステップで記憶されたソフトウェアファイルを用いて、前記画像形成装置が提供する機能を実行する実行ステップと、前記記憶ステップに記憶された複数のソフトウェアファイルのうちの少なくとも１つのソフトウェアファイルを更新するための更新用ソフトウェアファイルを、情報処理装置から受信する受信ステップと、前記受信ステップで受信した更新用ソフトウェアファイルに基づいてソフトウェアファイルが更新された後、当該更新されたソフトウェアファイルを用いた機能が実行された場合、当該実行された機能の実行結果を前記情報処理装置に送信する送信ステップと、を有することを特徴とする。
【手続補正５】
【補正対象書類名】明細書
【補正対象項目名】００１５
【補正方法】変更
【補正の内容】
【００１５】
また、上記目的を達成するために、請求項１４記載のプログラムは、画像形成装置の遠隔更新検証方法をコンピュータに実行させるためのプログラムであって、前記画像形成装置の遠隔更新検証方法は、複数のソフトウェアファイルを記憶する記憶ステップと、前記記憶ステップで記憶されたソフトウェアファイルを用いて、前記画像形成装置が提供する機能を実行する実行ステップと、前記記憶ステップで記憶された複数のソフトウェアファイルのうちの少なくとも１つのソフトウェアファイルを更新するための更新用ソフトウェアファイルを、情報処理装置から受信する受信ステップと、前記受信ステップで受信した更新用ソフトウェアファイルに基づいてソフトウェアファイルが更新された後、当該更新されたソフトウェアファイルを用いた機能の実行が指示されるのに応じて、当該実行される機能の動作確認を行うための画面を表示させる表示制御ステップと、を有することを特徴とする。
【手続補正６】
【補正対象書類名】明細書
【補正対象項目名】００１６
【補正方法】変更
【補正の内容】
【００１６】
また、上記目的を達成するために、請求項１５記載のプログラムは、画像形成装置の遠隔更新検証方法をコンピュータに実行させるためのプログラムであって、前記画像形成装置の遠隔更新検証方法は、複数のソフトウェアファイルを記憶する記憶ステップと、前記記憶ステップで記憶されたソフトウェアファイルを用いて、前記画像形成装置が提供する機能を実行する実行ステップと、前記記憶ステップに記憶された複数のソフトウェアファイルのうちの少なくとも１つのソフトウェアファイルを更新するための更新用ソフトウェアファイルを、情報処理装置から受信する受信ステップと、前記受信ステップで受信した更新用ソフトウェアファイルに基づいてソフトウェアファイルが更新された後、当該更新されたソフトウェアファイルを用いた機能が実行された場合、当該実行された機能の実行結果を前記情報処理装置に送信する送信ステップと、を有することを特徴とする。